(57)【要約】  本発明は、ドープした強誘電性材料を使用したガスセンサーに関する。センサーは、ガスサンプルの異なるガス相成分を検出するために、異なる部分のアレイが、別々に独立して制御される温度で操作できるアレイとして形成することができる。好適な態様は、糖尿病のような状態の診断に使用することができる。【選択図】  図１
2013513110.tif 000002
【特許請求の範囲】
【請求項１】
ガスを検出する方法であって、
ガスサンプルの成分を測定するために、ドープした強誘電性材料を含むセンサー上にガスサンプルを送る工程を含む該検出する方法。
【請求項２】
さらにガスサンプルを、ＶＰＯをドープしたＷＯ３材料を含むセンサーを有するチャンバーに送る工程を含む請求項１に記載の方法。
【請求項３】
さらにセンサー素子のアレイを使用して、ガス成分の濃度を検出する工程を含む請求項１に記載の方法。
【請求項４】
さらにセンサー素子の温度を制御するために、センサー素子のアレイに取り付けられたヒーターアレイを使用する工程を含む請求項３に記載の方法。
【請求項５】
さらに第１ガス成分を検出するために第１センサー素子の温度を第１温度に調整する工程と、そして同時に第２ガス成分を検出するために、第２センサー素子の温度を第１温度とは異なる第２温度に調整する工程を含む請求項４に記載の方法。
【請求項６】
ヒーターアレイを使用する工程が、センサー素子のアレイに熱的に連結された発熱素子のマトリックスアレイの温度を個別に制御することを含む請求項４に記載の方法。
【請求項７】
さらに窒素酸化化合物（ＮＯｘ）の濃度を検出する工程を含む請求項５に記載の方法。
【請求項８】
さらにイソプレンの濃度を検出する工程を含む請求項５に記載の方法。
【請求項９】
さらに１５０℃で第１サンプルを検出する工程を含む請求項５に記載の方法。
【請求項１０】
さらに３５０℃で第２サンプルを検出する工程を含む請求項５に記載の方法。
【請求項１１】
さらにエタンの濃度を検出すること工程を含む請求項５に記載の方法。
【請求項１２】
さらにアセトンの濃度を検出する工程を含む請求項５に記載の方法。
【請求項１３】
さらに糖尿病のような医学的状態を検出するために、哺乳動物個体から吐き出されたガスサンプルを検出する工程を含む請求項１に記載の方法。
【請求項１４】
さらに２Ｄマトリックスセンサーアレイの温度を電子制御器で調整する工程を含む請求項１に記載の方法。
【請求項１５】
さらにガス成分の定量的濃度を検出する工程と、そしてデータをコンピューターのメモリーに記録する工程を含む請求項１に記載の方法。
【請求項１６】
前記センサーが酸化タングステン化合物のナノ粒子を含む請求項１に記載の方法。
【請求項１７】
前記センサーがε−ＷＯ３を含む請求項１に記載の方法。
【請求項１８】
前記センサーがｈ−ＷＯ３を含む請求項１に記載の方法。
【発明の詳細な説明】
【技術分野】
【０００１】
関連出願の相互参照
本出願は、２００９年１２月２日に出願された特許文献１の利益を主張し、その全内容は引用により本明細書に編入する。
【０００２】
連邦政府による資金提供を受けた研究開発の記載
本発明はアメリカ国立科学財団により認可された認可番号ＤＭＲ０３０４１６９の下に、政府支援でなされた。政府は本発明に特定の権利を有する。
【背景技術】
【０００３】
非特許文献１による「アセトン選択的検出のための強誘電性ＷＯ３ナノ粒子」に記載されたような化学センサーを使用したガスの検出法（この内容は全部、引用により本明細書に編入する）が開発された。しかしその精度を向上させるためには、特に診断的応用には、そのようなデバイスおよびデバイスの作成法および使用法にさらなる改良が必要である。
【先行技術文献】
【特許文献】
【０００４】
【特許文献１】米国特許仮出願第６１／２６５，９８９号明細書
【非特許文献】
【０００５】
【非特許文献１】Ｗａｎｇ  ｅｔ  ａｌ．，Ｃｈｅｍ．Ｍａｔｅｒ．，２０，４７９４−４７９６，２００８
【発明の概要】
【０００６】
要約
本発明はガスサンプルの成分を検出するためのセンサーの作成法および使用法に関する。ＶＰＯまたはＣｒをドープしたＷＯ３のようなドープした強誘電性材料は、センサーアレイを作成するために使用できる。センサーアレイは、抵抗発熱素子の１もしくは２次元（２Ｄ）マトリックスのようなヒーターアレイに熱的に連結させることができる。個々の発熱素子の温度は、各発熱素子の操作温度を調整するために別々に制御されることができる。ガスセンサーの作成に関する詳細は、Ｗａｎｇ  ｅｔ  ａｌ．による、「非侵襲的な糖尿病検出のためのアセトンナノセンサー」、アメリカ物理学会、第１３回国際シンポジウム紀要、２００９年５月２３日、１１３巻（１号）、２０６〜２０８頁に見いだすことができ、この全内容は引用により本明細書に編入する。
【０００７】
本発明の好適な態様は、医学的状態を診断するために、哺乳動物個体が吐き出したガスのようなガスサンプル中の種々の成分濃度の定量的測定を提供する。電子制御器により、第１の複数のセンサーアレイ素子を第１の温度または温度範囲に設定することができ、そして第２の複数のセンサーアレイ素子を第２の温度または温度範囲に設定することができる。
【図面の簡単な説明】
【０００８】
【図１】本発明の好適な態様に従い、センサーの作成および使用法に関する流れの順序を具体的に説明する。
【０００９】
詳細な説明
ヒトの呼気、汗、唾液、痰、尿、涙、すべての体からの排泄物中の代謝産物を選択的（識別的）に検出するための強誘電性の、そして混合酸化物ガスセンサー。結晶化学的な方法を使用して、種々のクラスのガスと酸化物の結晶学的配置との選択的なガスと酸化物の相互作用が達成された。炭化水素の選択的酸化触媒に基づき、エタンおよびイソプレンのようなバイマーカー間の識別を容易に行うことができる。一例はルチル酸化物構造によるエタンの選択的検出のために、触媒的ドープ剤としてバナジウム・リン酸化物（ＶＰＯ）ナノ粒子の使用である。火炎噴霧式熱分解のような迅速に凝固するナノスケールの合成経路を使用して、バナジウム活性部位の効率的な分散を検出（ｓｅｎｓｉｎｇ）表面にわたり配置することができる。
【００１０】
強誘電性ε−ＷＯ３ナノ粒子による選択的なアセトン検出は、本発明の好適な態様で使用することができる。最近、強誘電性材料の表面化学に注目が集まった。例えばＬｉＮｂＯ３および他の材料に基づく研究で、極性分子の双極子モーメントは、表面上の幾つかの強誘電性ドメインの電気分極と相互作用できることが示された。この相互作用は、材料表面上の分子吸着の強度を上げる。ここで好適な態様は、アセトンの選択的検出に重要な役割を果たすε−ＷＯ３の非中心的構造を利用する。このε−ＷＯ３は、自発的電気双極子モーメントを有する種類の強誘電性材料である。この極性は各［ＷＯ６］八面体の中心からのタングステン原子の置換に由来する。一方、アセトンは他のガスよりもはるかに大きな双極性モーメントを有する。その結果、ε−ＷＯ３表面の双極子とアセトン分子との間の相互作用は他のガスよりもはるかに強く、アセトン検出に対して観察される選択性を導く。
【００１１】
単結晶（多形）二元酸化物を使用する好適な態様は、各センサー基盤に組み込まれた抵抗ヒーターの使用を介して、安定化熱処理および検出プロセスが起こる温度を単に個別に制御することにより、同時に数種のガス種を選択的に検出するためのマルチセンサーアレイを構築するために十分である。六方晶系のｈ−ＷＯ３材料は、１５０℃でのＮＯｘ（窒素酸化化合物）の選択的検出、および３５０℃でのイソプレンの選択的検出に使用することができる。個々のセンサー素子は発熱素子と対となり、２Ｄマトリックスアレイを形成することができる。
【００１２】
作成し、続いて使用する方法（１０）。センサーアレイは、図１と関連して具体的に説明する。ガスセンサーアレイは特定のガス種について選択した濃度で、強誘電性材料にドープ剤をドープすることにより形成することができる（１２）。センサーアレイは表示するためにコンピューターに独立して読み出されることができる素子のマトリックスを有することができる。センサーアレイは抵抗発熱素子のアレイに付けることができ（１４）、ここで各発熱素子の温度を独立して制御することができる（１６）。別個のセンサーアレイ素子の温度を異なる第１および第２温度に、ヒーターアレイに連結された電子制御器を用いて調整することにより、例えば異なるガス成分の濃度を同時にまたは時系列で測定することができる（１８）。結果はメモリーに保存でき、そして表示でき（２０）、そして患者の診断に使用できる。
【００１３】
特許請求の範囲は、その効果を述べない限り、記載した順序および要素に限定すると読むべきではない。したがって以下の特許請求の範囲の精神および範囲の中にあるすべての態様、およびそれに対する均等物が本発明として請求される。
【図１】
2013513110.tif 000003
【国際調査報告】
2013513110.tif 000004
2013513110.tif 000005
2013513110.tif 000006
2013513110.tif 000007